(57)【特許請求の範囲】
【請求項１】
下面が開放された箱状の空調用室外機置き台であって、
空調用室外機が載置される上面と、
裾広がりに形成された複数の側面と、
を備え、
前記複数の側面の少なくとも一つの外壁部には、前記側面の横方向に延びる凸条の形状を有する凹凸構造が設けられており、
前記複数の側面の少なくとも一つの外壁部には、前記側面の縦方向に延びる凸条または溝の形状を有する凹凸構造が設けられており、
前記側面の前記横方向に前記延びる凹凸構造は、前記側面の前記縦方向に前記延びる凹凸構造に重畳するように設けられており、
前記側面の前記横方向に前記延びる凸条の、縦方向の断面は、三角形の形状を有し、
前記三角形の上辺の長さは、前記三角形の下辺の長さより大きいことを特徴とする空調用室外機置き台。
【請求項２】
前記側面を基準とした、前記側面の前記横方向に前記延びる凸条の高さは、所定値を超えないことを特徴とする請求項１に記載の空調用室外機置き台。
【請求項３】
下面が開放された箱状の空調用室外機置き台であって、
空調用室外機が載置される上面と、
裾広がりに形成された複数の側面と、
を備え、
前記複数の側面の少なくとも一つの外壁部には、前記側面の横方向に延びる溝の形状を有する凹凸構造が設けられており、
前記複数の側面の少なくとも一つの外壁部には、前記側面の縦方向に延びる凸条または溝の形状を有する凹凸構造が設けられており、
前記側面の前記横方向に前記延びる凹凸構造は、前記側面の前記縦方向に前記延びる凹凸構造に重畳するように設けられており、
前記側面の前記横方向に前記延びる溝の、縦方向の断面は、三角形の形状を有し、
前記三角形の上辺の長さは、前記三角形の下辺の長さより小さいことを特徴とする空調用室外機置き台。
【請求項４】
前記側面を基準とした、前記側面の前記横方向に前記延びる溝の深さは、所定値を超えないことを特徴とする請求項３に記載の空調用室外機置き台。
【請求項５】
前記複数の側面の少なくとも一つの内壁部にも、前記外壁部に前記設けられている凹凸構造に対応して、前記側面の厚みが一定になるように、凸条または溝の形状を有する別の凹凸構造が設けられていることを特徴とする請求項１から４の何れかに記載の空調用室外機置き台。
【発明の詳細な説明】
【技術分野】
【０００１】
本発明は、冷房機または暖房機などの空調用室外機が載置される空調用室外機置き台に関する。
【背景技術】
【０００２】
冷房機または暖房機などの空調用室外機は戸外に設置される機器であるが、このような機器が直接に地面に設置されることは望ましくない。
【０００３】
そこで、空調用室外機を置く空調用室外機置き台が、知られている（たとえば、特許文献１参照）。
【先行技術文献】
【特許文献】
【０００４】
【特許文献１】特開２０１０−１９６９７３号公報
【発明の概要】
【発明が解決しようとする課題】
【０００５】
ところで、空調用室外機置き台は、しばしば熱可塑性樹脂で形成される。
【０００６】
熱可塑性樹脂は軽量性において優れているので、構成要素の厚みなどを小さくすることによって、空調用室外機置き台の重量が抑えられる構成を実現しやすい。
【０００７】
しかしながら、前述された従来の空調用室外機置き台においては、軽量性が重視されて強度性が犠牲にされてしまう恐れがあることに、本発明者は気付いた。
【０００８】
本発明は、前述された従来の課題を考慮し、軽量性が重視されて強度性が犠牲にされてしまう恐れを低減することが可能な空調用室外機置き台を提供することを目的とする。
【課題を解決するための手段】
【０００９】
第１の本発明は、下面が開放された箱状の空調用室外機置き台であって、
空調用室外機が載置される上面と、
裾広がりに形成された複数の側面と、
を備え、
前記複数の側面の少なくとも一つの外壁部には、前記側面の横方向に延びる凸条の形状を有する凹凸構造が設けられており、
前記複数の側面の少なくとも一つの外壁部には、前記側面の縦方向に延びる凸条または溝の形状を有する凹凸構造が設けられており、
前記側面の前記横方向に前記延びる凹凸構造は、前記側面の前記縦方向に前記延びる凹凸構造に重畳するように設けられており、
前記側面の前記横方向に前記延びる凸条の、縦方向の断面は、三角形の形状を有し、
前記三角形の上辺の長さは、前記三角形の下辺の長さより大きいことを特徴とする空調用室外機置き台である。
第２の本発明は、前記側面を基準とした、前記側面の前記横方向に前記延びる凸条の高さは、所定値を超えないことを特徴とする第１の本発明の空調用室外機置き台である。
第３の本発明は、下面が開放された箱状の空調用室外機置き台であって、
空調用室外機が載置される上面と、
裾広がりに形成された複数の側面と、
を備え、
前記複数の側面の少なくとも一つの外壁部には、前記側面の横方向に延びる溝の形状を有する凹凸構造が設けられており、
前記複数の側面の少なくとも一つの外壁部には、前記側面の縦方向に延びる凸条または溝の形状を有する凹凸構造が設けられており、
前記側面の前記横方向に前記延びる凹凸構造は、前記側面の前記縦方向に前記延びる凹凸構造に重畳するように設けられており、
前記側面の前記横方向に前記延びる溝の、縦方向の断面は、三角形の形状を有し、
前記三角形の上辺の長さは、前記三角形の下辺の長さより小さいことを特徴とする空調用室外機置き台である。
第４の本発明は、前記側面を基準とした、前記側面の前記横方向に前記延びる溝の深さは、所定値を超えないことを特徴とする第３の本発明の空調用室外機置き台である。
第５の本発明は、前記複数の側面の少なくとも一つの内壁部にも、前記外壁部に前記設けられている凹凸構造に対応して、前記側面の厚みが一定になるように、凸条または溝の形状を有する別の凹凸構造が設けられていることを特徴とする第１から第４の何れかの本発明の空調用室外機置き台である。
本発明に関連する第１の発明は、下面が開放された箱状の空調用室外機置き台であって、
空調用室外機が載置される上面と、
裾広がりに形成された複数の側面と、
を備え、
前記複数の側面の少なくとも一つの外壁部には、前記側面の横方向に延びる凸条または溝の形状を有する凹凸構造が設けられていることを特徴とする空調用室外機置き台である。
【００１０】
本発明に関連する第２の発明は、前記凸条の、縦方向の断面は、三角形の形状を有し、
前記三角形の上辺の長さは、前記三角形の下辺の長さより大きいことを特徴とする本発明に関連する第１の発明の空調用室外機置き台である。
【００１１】
本発明に関連する第３の発明は、前記側面を基準とした前記凸条の高さは、所定値を超えないことを特徴とする本発明に関連する第２の発明の空調用室外機置き台である。
【００１２】
本発明に関連する第４の発明は、前記溝の、縦方向の断面は、三角形の形状を有し、
前記三角形の上辺の長さは、前記三角形の下辺の長さより小さいことを特徴とする本発明に関連する第１の発明の空調用室外機置き台である。
【００１３】
本発明に関連する第５の発明は、前記側面を基準とした前記溝の深さは、所定値を超えないことを特徴とする本発明に関連する第４の発明の空調用室外機置き台である。
【００１４】
本発明に関連する第６の発明は、前記複数の側面の少なくとも一つの内壁部にも、前記外壁部に前記設けられている凹凸構造に対応して、前記側面の厚みが一定になるように、凸条または溝の形状を有する別の凹凸構造が設けられていることを特徴とする本発明に関連する第１から第５の何れかの発明の空調用室外機置き台である。
【発明の効果】
【００１５】
本発明によって、軽量性が重視されて強度性が犠牲にされてしまう恐れを低減することが可能な空調用室外機置き台を提供することができる。
【図面の簡単な説明】
【００１６】
【図１】本発明における実施の形態の使用中の二台の空調用室外機置き台の模式的な斜視図
【図２】本発明における実施の形態の使用前の一台の空調用室外機置き台の模式的な斜視図
【図３】（ａ）本発明における実施の形態の空調用室外機置き台の上面図、（ｂ）本発明における実施の形態の空調用室外機置き台の前面図、（ｃ）本発明における実施の形態の空調用室外機置き台の右側面図
【図４】本発明における実施の形態の空調用室外機置き台の下面図
【図５】本発明における実施の形態の空調用室外機置き台の模式的な縦方向の部分断面図
【図６】（ａ）本発明における実施の形態の空調用室外機置き台の製造に使用されるコア金型の前面図、（ｂ）本発明における実施の形態の空調用室外機置き台の製造に使用されるコア金型の下面図、（ｃ）本発明における実施の形態の空調用室外機置き台の製造に使用されるコア金型の右側面図
【図７】本発明における別の実施の形態の空調用室外機置き台の模式的な縦方向の部分断面図
【発明を実施するための形態】
【００１７】
以下、図面を参照しながら、本発明における実施の形態について詳細に説明する。
【００１８】
はじめに、図１を参照しながら、本実施の形態の空調用室外機置き台１００について具体的に説明する。
【００１９】
ここに、図１は、本発明における実施の形態の使用中の二台の空調用室外機置き台１００の模式的な斜視図である。
【００２０】
図１においては、空調用室外機置き台１００の構成などの理解をより容易にするために、細部の図示が簡略化されている。たとえば、空調用室外機置き台１００の面と面との間の稜線部における面取り構造などの図示は、省略されている。
【００２１】
空調用室外機置き台１００は、下面が開放された箱状の空調用室外機置き台である。空調用室外機置き台１００は、本発明の空調用室外機置き台の一例である。
【００２２】
使用中の二台の空調用室外機置き台１００は、冷房機または暖房機などの空調用室外機１が設置される戸外の地面に並置されている。
【００２３】
空調用室外機置き台１００は、廉価であって軽量性および耐水性などにおいて優れているＰＰ（ポリプロピレン）などの熱可塑性樹脂で形成されており、空調用室外機１の設置環境の美観を損なわないアイボリー色などで着色されている。
【００２４】
二台の空調用室外機置き台１００の間の距離Ｄは、空調用室外機１の横方向の幅などに応じて容易に調節される。
【００２５】
なお、一台または三台以上の空調用室外機置き台１００が並置される実施の形態も、考えられる。
【００２６】
つぎに、図２〜４を主として参照しながら、本実施の形態の空調用室外機置き台１００についてより具体的に説明する。
【００２７】
ここに、図２は、本発明における実施の形態の使用前の一台の空調用室外機置き台１００の模式的な斜視図であり、図３（ａ）は、本発明における実施の形態の空調用室外機置き台１００の上面図であり、図３（ｂ）は、本発明における実施の形態の空調用室外機置き台１００の前面図であり、図３（ｃ）は、本発明における実施の形態の空調用室外機置き台１００の右側面図であり、図４は、本発明における実施の形態の空調用室外機置き台１００の下面図である。
【００２８】
図２においては、空調用室外機置き台１００の構成などの理解をより容易にするために、細部の図示が簡略化されている。たとえば、空調用室外機置き台１００の面と面との間の稜線部における面取り構造などの図示は、省略されている。
【００２９】
裾部１５０は、回廊状に形成された、地面に置かれる下面である。
【００３０】
ほぼ水平な裾部１５０の上壁部は、ほぼ平滑である。ほぼ水平な裾部１５０の下壁部には、地面に置かれた空調用室外機置き台１００が地面との静止摩擦力によって安定するように、格子状の細かい凹凸加工（図示省略）が行われている。
【００３１】
渡り部１６０は、橋梁状に形成された、空調用室外機置き台１００の中央部である。
【００３２】
空調用室外機置き台１００の全体的な形状は、渡り部１６０を基準として左右方向および前後方向にほぼ対称的である。
【００３３】
渡り部１６０の外壁部は、ほぼ平滑である。渡り部１６０の内壁部はほぼ平滑であるが、渡り部１６０のほぼ水平な略正方形状の中央部の内壁部には、軽量性および強度性などにおいて優れている亀甲パターン状の補強フィン部材（図示省略）が装着されている。
【００３４】
上面１１０Ｌおよび１１０Ｒは、空調用室外機１が載置される上面である。上面１１０Ｌおよび１１０Ｒは、本発明の上面の一例である。
【００３５】
上面１１０Ｌは、渡り部１６０を基準として左方にある、ほぼ水平な略長方形状の上面である。
【００３６】
上面１１０Ｌの外壁部はほぼ平滑であるが、上面１１０Ｌの左中央部の外壁部には、空調用室外機１を空調用室外機置き台１００に載置する位置を決めやすくしたり、載置された空調用室外機１の横滑りを抑制したりするための、上面１１０Ｌの内壁部から金型成型で膨出された中空な円柱状小突起部が設けられている。上面１１０Ｌの内壁部はほぼ平滑であるが、上面１１０Ｌの内壁部には、円柱状小突起部の形状に対応した凹窩部が形成されるとともに、筋パターン状の凹凸加工（図示省略）が行われており、軽量性および強度性などにおいて優れている長方形パターン状の補強フィン部材（図示省略）が装着されている。
【００３７】
上面１１０Ｒは、渡り部１６０を基準として右方にある、ほぼ水平な略長方形状の上面である。
【００３８】
上面１１０Ｒの外壁部は、ほぼ平滑である。上面１１０Ｒの内壁部はほぼ平滑であるが、上面１１０Ｒの内壁部には、筋パターン状の凹凸加工（図示省略）が行われており、軽量性および強度性などにおいて優れている長方形パターン状の補強フィン部材（図示省略）が装着されている。
【００３９】
側面１２１Ｌ、１２２Ｌ、１２３Ｌ、１２１Ｒ、１２２Ｒおよび１２３Ｒは、裾広がりに形成された側面である。側面１２１Ｌ、１２２Ｌ、１２３Ｌ、１２１Ｒ、１２２Ｒおよび１２３Ｒは、裾広がりに形成された、本発明の複数の側面の一例である。
【００４０】
側面１２１Ｌは、渡り部１６０を基準として左前方にある、前下方に向かって傾斜した略等脚台形状の側面である。
【００４１】
側面１２１Ｌの外壁部には、側面１２１Ｌの内壁部から金型成型で膨出された六指のフィンガー状浮上り部とともに、後に詳述される凸条１３１ｕＬおよび１３１ｄＬがフィンガー状浮上り部に重畳するように設けられている。側面１２１Ｌの内壁部には、フィンガー状浮上り部の形状に対応したフィンガー状沈込み部とともに、後に詳述される溝１４１ｕＬおよび１４１ｄＬがフィンガー状沈込み部に重畳するように設けられている。
【００４２】
側面１２２Ｌは、渡り部１６０を基準として左後方にある、後下方に向かって傾斜した略等脚台形状の側面である。
【００４３】
側面１２２Ｌの外壁部には、側面１２２Ｌの内壁部から金型成型で膨出された六指のフィンガー状浮上り部とともに、後に詳述される凸条１３２ｕＬおよび１３２ｄＬがフィンガー状浮上り部に重畳するように設けられている。側面１２２Ｌの内壁部には、フィンガー状浮上り部の形状に対応したフィンガー状沈込み部とともに、後に詳述される溝１４２ｕＬおよび１４２ｄＬがフィンガー状沈込み部に重畳するように設けられている。
【００４４】
側面１２３Ｌは、渡り部１６０を基準として左方にある、左下方に向かって傾斜した略等脚台形状の側面である。
【００４５】
側面１２３Ｌの外壁部には、側面１２３Ｌの内壁部から金型成型で膨出された三指のフィンガー状浮上り部とともに、後に詳述される凸条１３３ｕＬおよび１３３ｄＬがフィンガー状浮上り部に重畳するように設けられている。側面１２２Ｌの内壁部には、フィンガー状浮上り部の形状に対応したフィンガー状沈込み部が設けられている。
【００４６】
側面１２１Ｒは、渡り部１６０を基準として右前方にある、前下方に向かって傾斜した略等脚台形状の側面である。
【００４７】
側面１２１Ｒの外壁部には、側面１２１Ｒの内壁部から金型成型で膨出された六指のフィンガー状浮上り部とともに、後に詳述される凸条１３１ｕＲおよび１３１ｄＲがフィンガー状浮上り部に重畳するように設けられている。側面１２１Ｒの内壁部には、フィンガー状浮上り部の形状に対応したフィンガー状沈込み部とともに、後に詳述される溝１４１ｕＲおよび１４１ｄＲがフィンガー状沈込み部に重畳するように設けられている。
【００４８】
側面１２２Ｒは、渡り部１６０を基準として右後方にある、後下方に向かって傾斜した略等脚台形状の側面である。
【００４９】
側面１２２Ｒの外壁部には、側面１２２Ｒの内壁部から金型成型で膨出された六指のフィンガー状浮上り部とともに、後に詳述される凸条１３２ｕＲおよび１３２ｄＲがフィンガー状浮上り部に重畳するように設けられている。側面１２２Ｒの内壁部には、フィンガー状浮上り部の形状に対応したフィンガー状沈込み部とともに、後に詳述される溝１４２ｕＲおよび１４２ｄＲがフィンガー状沈込み部に重畳するように設けられている。
【００５０】
側面１２３Ｒは、渡り部１６０を基準として右方にある、右下方に向かって傾斜した略等脚台形状の側面である。
【００５１】
側面１２３Ｒの外壁部には、側面１２３Ｒの内壁部から金型成型で膨出された三指のフィンガー状浮上り部とともに、後に詳述される凸条１３３ｕＲおよび１３３ｄＲがフィンガー状浮上り部に重畳するように設けられている。側面１２２Ｒの内壁部には、フィンガー状浮上り部の形状に対応したフィンガー状沈込み部が設けられている。
【００５２】
つぎに、図３〜５を主として参照しながら、本実施の形態の空調用室外機置き台１００についてさらにより具体的に説明する。
【００５３】
ここに、図５は、本発明における実施の形態の空調用室外機置き台１００の模式的な縦方向の部分断面図である。
【００５４】
図５においては、断面法線方向が左右方向である、側面１２１Ｌ近傍の部分断面が示されている。
【００５５】
図５においては、このような部分断面の構成などの理解をより容易にするために、細部の図示が簡略化されている。たとえば、凹凸構造１３０の稜線部における面取り構造などの図示は、省略されている。
【００５６】
側面１２１Ｌ、１２２Ｌ、１２３Ｌ、１２１Ｒ、１２２Ｒおよび１２３Ｒの外壁部には、側面１２１Ｌ、１２２Ｌ、１２３Ｌ、１２１Ｒ、１２２Ｒおよび１２３Ｒの横方向に延びる凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの形状を有する凹凸構造１３０が設けられている。凹凸構造１３０は、複数の側面の少なくとも一つの外壁部に設けられている、側面の横方向に延びる凸条または溝の形状を有する、本発明の凹凸構造の一例である。
【００５７】
凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの、縦方向の断面は、三角形の形状を有する。
【００５８】
凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの、縦方向の断面が有する三角形の形状については、後に詳述する。
【００５９】
凸条１３１ｕＬは、側面１２１Ｌの外壁部の上半部分における上下方向の中央部に帯状に設けられている。凸条１３１ｄＬは、側面１２１Ｌの外壁部の下半部分における上下方向の中央部に帯状に設けられている。
【００６０】
凸条１３２ｕＬは、側面１２２Ｌの外壁部の上半部分における上下方向の中央部に帯状に設けられている。凸条１３２ｄＬは、側面１２２Ｌの外壁部の下半部分における上下方向の中央部に帯状に設けられている。
【００６１】
凸条１３３ｕＬは、側面１２３Ｌの外壁部の上半部分における上下方向の中央部に帯状に設けられている。凸条１３３ｄＬは、側面１２３Ｌの外壁部の下半部分における上下方向の中央部に帯状に設けられている。
【００６２】
凸条１３１ｕＲは、側面１２１Ｒの外壁部の上半部分における上下方向の中央部に帯状に設けられている。凸条１３１ｄＲは、側面１２１Ｒの外壁部の下半部分における上下方向の中央部に帯状に設けられている。
【００６３】
凸条１３２ｕＲは、側面１２２Ｒの外壁部の上半部分における上下方向の中央部に帯状に設けられている。凸条１３２ｄＲは、側面１２２Ｒの外壁部の下半部分における上下方向の中央部に帯状に設けられている。
【００６４】
凸条１３３ｕＲは、側面１２３Ｒの外壁部の上半部分における上下方向の中央部に帯状に設けられている。凸条１３３ｄＲは、側面１２３Ｒの外壁部の下半部分における上下方向の中央部に帯状に設けられている。
【００６５】
したがって、凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲは、互いに交わらない。
【００６６】
なお、凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの全部または一部が互いに交わる実施の形態も、考えられる。
【００６７】
凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲは、空調用室外機１の重量に起因する荷重力を鉛直方向以外の方向にも分散させるので、空調用室外機置き台１００の強度性を向上させる効果を奏する。
【００６８】
かくの如き効果は、軽量性を重視して構成要素の厚みなどを小さくすることによって、たとえば、従来は１９５グラム程度であった空調用室外機置き台の重量が１８５グラム程度に抑えられる構成において顕著であり、強度性が犠牲にされてしまう恐れが小さい理想的な空調用室外機置き台１００が実現される。
【００６９】
凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの表面には、シボ加工が行われていてもよい。
【００７０】
側面１２１Ｌ、１２２Ｌ、１２１Ｒおよび１２２Ｒの内壁部にも、外壁部に設けられている凹凸構造１３０に対応して、側面１２１Ｌ、１２２Ｌ、１２１Ｒおよび１２２Ｒの厚みｔが一定になるように、溝１４１ｕＬ、１４２ｕＬ、１４１ｄＬ、１４２ｄＬ、１４１ｕＲ、１４２ｕＲ、１４１ｄＲおよび１４２ｄＲの形状を有する凹凸構造１４０が設けられている。凹凸構造１４０は、複数の側面の少なくとも一つの内壁部にも、外壁部に設けられている凹凸構造に対応して、側面の厚みが一定になるように設けられている、凸条または溝の形状を有する、本発明の別の凹凸構造の一例である。
【００７１】
溝１４１ｕＬは、側面１２１Ｌの内壁部の上半部分における上下方向の中央部に帯状に設けられている。溝１４１ｄＬは、側面１２１Ｌの内壁部の下半部分における上下方向の中央部に帯状に設けられている。
【００７２】
溝１４２ｕＬは、側面１２２Ｌの内壁部の上半部分における上下方向の中央部に帯状に設けられている。溝１４２ｄＬは、側面１２２Ｌの内壁部の下半部分における上下方向の中央部に帯状に設けられている。
【００７３】
溝１４１ｕＲは、側面１２１Ｒの内壁部の上半部分における上下方向の中央部に帯状に設けられている。溝１４１ｄＲは、側面１２１Ｒの内壁部の下半部分における上下方向の中央部に帯状に設けられている。
【００７４】
溝１４２ｕＲは、側面１２２Ｒの内壁部の上半部分における上下方向の中央部に帯状に設けられている。溝１４２ｄＲは、側面１２２Ｒの内壁部の下半部分における上下方向の中央部に帯状に設けられている。
【００７５】
したがって、溝１４１ｕＬ、１４２ｕＬ、１４１ｄＬ、１４２ｄＬ、１４１ｕＲ、１４２ｕＲ、１４１ｄＲおよび１４２ｄＲは、互いに交わらない。
【００７６】
なお、溝１４１ｕＬ、１４２ｕＬ、１４１ｄＬ、１４２ｄＬ、１４１ｕＲ、１４２ｕＲ、１４１ｄＲおよび１４２ｄＲの全部または一部が互いに交わる実施の形態も、考えられる。
【００７７】
溝１４１ｕＬ、１４２ｕＬ、１４１ｄＬ、１４２ｄＬ、１４１ｕＲ、１４２ｕＲ、１４１ｄＲおよび１４２ｄＲは、空調用室外機１の重量に起因する荷重力を鉛直方向以外の方向にも分散させるので、空調用室外機置き台１００の強度性を向上させる効果を奏する。
【００７８】
かくの如き効果は、軽量性を重視して構成要素の厚みなどをより小さくすることによって、前述されたように、空調用室外機置き台の重量が抑えられる構成において顕著であり、強度性が犠牲にされてしまう恐れが小さい理想的な空調用室外機置き台１００が実現される。
【００７９】
溝１４１ｕＬ、１４２ｕＬ、１４１ｄＬ、１４２ｄＬ、１４１ｕＲ、１４２ｕＲ、１４１ｄＲおよび１４２ｄＲの表面には、シボ加工が行われていてもよい。
【００８０】
図６を主として参照しながら、凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの、縦方向の断面が有する三角形の形状について説明するに先立って、コア金型１１００について具体的に説明する。
【００８１】
ここに、図６（ａ）は、本発明における実施の形態の空調用室外機置き台１００の製造に使用されるコア金型１１００の前面図であり、図６（ｂ）は、本発明における実施の形態の空調用室外機置き台１００の製造に使用されるコア金型１１００の下面図であり、図６（ｃ）は、本発明における実施の形態の空調用室外機置き台１００の製造に使用されるコア金型１１００の右側面図である。
【００８２】
凹凸構造１４０が設けられている空調用室外機置き台１００の内壁部の形状に対応した金型面が、コア金型１１００の外壁部に形成されている。
【００８３】
より具体的に説明すると、つぎの通りである。
【００８４】
コア金型面１１５０は、裾部１５０の下壁部の形状に対応したコア金型面である。
【００８５】
コア金型面１１６０は、渡り部１６０の内壁部の形状に対応したコア金型面である。
【００８６】
コア金型面１１１０Ｌおよび１１１０Ｒは、上面１１０Ｌおよび１１０Ｒの内壁部の形状にそれぞれ対応したコア金型面である。
【００８７】
コア金型面１１２１Ｌ、１１２２Ｌ、１１２３Ｌ、１１２１Ｒ、１１２２Ｒおよび１１２３Ｒは、側面１２１Ｌ、１２２Ｌ、１２３Ｌ、１２１Ｒ、１２２Ｒおよび１２３Ｒの内壁部の形状にそれぞれ対応したコア金型面である。
【００８８】
このようなコア金型１１００を利用して、凹凸構造１４０が設けられている空調用室外機置き台１００の内壁部の形状を高精度に形成することができる。
【００８９】
同様に、凹凸構造１３０が設けられている空調用室外機置き台１００の外壁部の形状に対応した金型面が内壁部に形成されているキャビティ金型を利用して、凹凸構造１３０が設けられている空調用室外機置き台１００の内壁部の形状を高精度に形成することができる。
【００９０】
以下で説明することから明らかであるように、凹凸構造１４０の存在がコア金型１１００の離型不良を招来する恐れも、凹凸構造１３０の存在がキャビティ金型の離型不良を招来する恐れも、ほとんどない。
【００９１】
ここで、図５を主として参照しながら、凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの、縦方向の断面が有する三角形の形状について具体的に説明する。
【００９２】
同時に、凹凸構造１３０の存在がキャビティ金型の離型不良を招来する恐れがほとんどない点についても具体的に説明する。
【００９３】
さて、三角形の上辺の長さａは、三角形の下辺の長さｂより大きい。
【００９４】
そして、側面１２１Ｌ、１２２Ｌ、１２３Ｌ、１２１Ｒ、１２２Ｒおよび１２３Ｒを基準とした凸条１３１ｕＬ、１３２ｕＬ、１３３ｕＬ、１３１ｄＬ、１３２ｄＬ、１３３ｄＬ、１３１ｕＲ、１３２ｕＲ、１３３ｕＲ、１３１ｄＲ、１３２ｄＲおよび１３３ｄＲの高さｈは、所定値ｈ０を超えない。所定値ｈ０は、たとえば、良好な金型成型が可能である０．２ミリメートル程度である。
【００９５】
このような寸法設計の意義について説明すると、つぎの通りである。
【００９６】
すなわち、キャビティ金型の離型が矢印Ｘの向きに行われるとき、キャビティ金型との干渉が三角形の上辺について生じる可能性はないが、キャビティ金型との干渉が三角形の下辺について生じる可能性はある。
【００９７】
しかしながら、キャビティ金型の離型は熱可塑性樹脂の温度が比較的に高いときに行われるので、凹凸構造１３０はある程度の弾性を有している。
【００９８】
そして、三角形の上辺の長さａが三角形の下辺の長さｂより大きいので、長さｂはあまり大きくなく、高さｈは所定値ｈ０を超えない。
【００９９】
したがって、キャビティ金型との干渉が三角形の下辺について生じる可能性はあるが、そのような干渉の悪影響は極めて小さいので、キャビティ金型の離型不良が招来される恐れはほとんどない。
【０１００】
ところで、以上において説明された実施の形態においては、側面１２１Ｌ、１２２Ｌ、１２３Ｌ、１２１Ｒ、１２２Ｒおよび１２３Ｒの外壁部には、側面１２１Ｌ、１２２Ｌ、１２３Ｌ、１２１Ｒ、１２２Ｒおよび１２３Ｒの横方向に延びる凸条の形状を有する凹凸構造が設けられていた。
【０１０１】
しかしながら、これに限らず、側面１２１Ｌ、１２２Ｌ、１２３Ｌ、１２１Ｒ、１２２Ｒおよび１２３Ｒの外壁部には、側面１２１Ｌ、１２２Ｌ、１２３Ｌ、１２１Ｒ、１２２Ｒおよび１２３Ｒの横方向に延びる溝の形状を有する凹凸構造が設けられていてもよい。
【０１０２】
そこで、図７を主として参照しながら、かくの如き別の実施の形態の空調用室外機置き台１００について具体的に説明する。
【０１０３】
ここに、図７は、本発明における別の実施の形態の空調用室外機置き台１００の模式的な縦方向の部分断面図である。
【０１０４】
図７においては、断面法線方向が左右方向である、側面１２１Ｌ近傍の部分断面が示されている。
【０１０５】
図７においては、このような部分断面の構成などの理解をより容易にするために、細部の図示が簡略化されている。たとえば、凹凸構造２３０の稜線部における面取り構造などの図示は、省略されている。
【０１０６】
側面１２１Ｌの外壁部には、側面１２１Ｌの横方向に延びる溝２３１ｕＬおよび２３１ｄＬの形状を有する凹凸構造２３０が設けられている。凹凸構造２３０は、複数の側面の少なくとも一つの外壁部に設けられている、側面の横方向に延びる凸条または溝の形状を有する、本発明の凹凸構造の一例である。
【０１０７】
溝２３１ｕＬおよび２３１ｄＬの、縦方向の断面は、三角形の形状を有する。
【０１０８】
溝２３１ｕＬおよび２３１ｄＬの、縦方向の断面が有する三角形の形状については、後に詳述する。
【０１０９】
溝２３１ｕＬは、側面１２１Ｌの外壁部の上半部分における上下方向の中央部に帯状に設けられている。溝２３１ｄＬは、側面１２１Ｌの外壁部の下半部分における上下方向の中央部に帯状に設けられている。
【０１１０】
側面１２１Ｌの内壁部にも、外壁部に設けられている凹凸構造２３０に対応して、側面１２１Ｌの厚みｔが一定になるように、凸条２４１ｕＬおよび２４１ｄＬの形状を有する凹凸構造２４０が設けられている。凹凸構造２４０は、複数の側面の少なくとも一つの内壁部にも、外壁部に設けられている凹凸構造に対応して、側面の厚みが一定になるように設けられている、凸条または溝の形状を有する、本発明の別の凹凸構造の一例である。
【０１１１】
凸条２４１ｕＬは、側面１２１Ｌの内壁部の上半部分における上下方向の中央部に帯状に設けられている。凸条２４１ｄＬは、側面１２１Ｌの内壁部の下半部分における上下方向の中央部に帯状に設けられている。
【０１１２】
さて、三角形の上辺の長さαは、三角形の下辺の長さβより小さい。
【０１１３】
そして、側面１２１Ｌを基準とした溝２３１ｕＬおよび２３１ｄＬの深さδは、所定値δ０を超えない。所定値δ０は、たとえば、良好な金型成型が可能である０．２ミリメートル程度である。
【０１１４】
このような寸法設計の意義について説明すると、つぎの通りである。
【０１１５】
すなわち、キャビティ金型の離型が矢印Ｘの向きに行われるとき、キャビティ金型との干渉が三角形の下辺について生じる可能性はないが、キャビティ金型との干渉が三角形の上辺について生じる可能性はある。
【０１１６】
しかしながら、キャビティ金型の離型は熱可塑性樹脂の温度が比較的に高いときに行われるので、凹凸構造２３０はある程度の弾性を有している。
【０１１７】
そして、三角形の上辺の長さαが三角形の下辺の長さβより小さいので、長さαはあまり大きくなく、深さδは所定値δ０を超えない。
【０１１８】
したがって、キャビティ金型との干渉が三角形の上辺について生じる可能性はあるが、そのような干渉の悪影響は極めて小さいので、キャビティ金型の離型不良が招来される恐れはほとんどない。
【０１１９】
ここまでで詳細に説明された空調用室外機置き台１００が優れた強度性を有することを確認するために、製品の圧縮試験が行われた。
【０１２０】
圧縮試験の試験方法は、つぎの通りである。
【０１２１】
４０ミリメートル×４０ミリメートルの圧縮面の個数が２であって圧縮面中心間距離が２５０ミリメートルである圧縮治具が使用され、試料破壊が発生する、または負荷荷重が５キロニュートンに達するまで、圧縮が行われ、０．９８〜４．９０キロニュートンの負荷荷重が印加されたときのたわみ量が測定された。
【０１２２】
試料および試験片の詳細については、試験片形状が製品状であり、試験片数が２である。
【０１２３】
試験の詳細については、試験速度が１０ミリメートル／分であり、試験温度が摂氏２３度であり、試験装置が（株）島津製作所製の精密万能試験機オートグラフＡＧ−１００ｋＮＤであり、試験機容量がロードセル式１００キロニュートンである。
【０１２４】
圧縮試験の試験結果は、つぎの通りである。
【０１２５】
負荷荷重が０．９８キロニュートン、すなわち１００キログラム重であるとき、第一試験片のたわみ量は２．７８ミリメートルであり、第二試験片のたわみ量は２．８３ミリメートルであり、これらの平均値は２．８１ミリメートルであった。
【０１２６】
負荷荷重が１．９６キロニュートン、すなわち２００キログラム重であるとき、第一試験片のたわみ量は７．０２ミリメートルであり、第二試験片のたわみ量は７．０６ミリメートルであり、これらの平均値は７．０４ミリメートルであった。
【０１２７】
負荷荷重が２．９４キロニュートン、すなわち３００キログラム重であるとき、試料破壊が発生し、たわみ量の測定は不可能であった。
【０１２８】
負荷荷重が３．９２キロニュートン、すなわち４００キログラム重であるとき、試料破壊が発生し、たわみ量の測定は不可能であった。
【０１２９】
負荷荷重が４．９０キロニュートン、すなわち５００キログラム重であるとき、試料破壊が発生し、たわみ量の測定は不可能であった。
【０１３０】
第一試験片については、試料破壊が発生するまでの最大負荷荷重が２．７３キロニュートンであった。
【０１３１】
第二試験片については、試料破壊が発生するまでの最大負荷荷重が２．６６キロニュートンであった。
【０１３２】
かくして、空調用室外機置き台１００は２５０キログラムの耐荷重試験に合格する優れた強度性を有することが、確認された。
【産業上の利用可能性】
【０１３３】
本発明における空調用室外機置き台は、軽量性が重視されて強度性が犠牲にされてしまう恐れを低減することが可能であり、冷房機または暖房機などの空調用室外機が載置される空調用室外機置き台に利用する目的に有用である。
【符号の説明】
【０１３４】
１  空調用室外機
１００  空調用室外機置き台
１１０Ｌ  上面
１１０Ｒ  上面
１２１Ｌ、１２２Ｌ、１２３Ｌ  側面
１２１Ｒ、１２２Ｒ、１２３Ｒ  側面
１３０  凹凸構造
１３１ｕＬ、１３２ｕＬ、１３３ｕＬ  凸条
１３１ｄＬ、１３２ｄＬ、１３３ｄＬ  凸条
１３１ｕＲ、１３２ｕＲ、１３３ｕＲ  凸条
１３１ｄＲ、１３２ｄＲ、１３３ｄＲ  凸条
１４０  凹凸構造
１４１ｕＬ、１４２ｕＬ  溝
１４１ｄＬ、１４２ｄＬ  溝
１４１ｕＲ、１４２ｕＲ  溝
１４１ｄＲ、１４２ｄＲ  溝
１５０  裾部
１６０  渡り部
２３０  凹凸構造
２３１ｕＬ  溝
２３１ｄＬ  溝
２４０  凹凸構造
２４１ｕＬ  凸条
２４１ｄＬ  凸条
１１００  コア金型
１１１０Ｌ  コア金型面
１１１０Ｒ  コア金型面
１１２１Ｌ、１１２２Ｌ、１１２３Ｌ  コア金型面
１１２１Ｒ、１１２２Ｒ、１１２３Ｒ  コア金型面
１１５０  コア金型面
１１６０  コア金型面
【図１】
0006685585.tif 000002
【図２】
0006685585.tif 000003
【図３】
0006685585.tif 000004
【図４】
0006685585.tif 000005
【図５】
0006685585.tif 000006
【図６】
0006685585.tif 000007
【図７】
0006685585.tif 000008